(57)【要約】【課題】本発明は、画像をサーバに保存し、当該画像を適切かつ容易に閲覧・取得できるネットワークファクシミリ装置及びネットワークファクシミリシステムに関する。【解決手段】ネットワークファクシミリ装置１は、ＵＳＢ接続、ＬＡＮ接続、スロットに挿入されたメモリカード等の記憶媒体から通信ポート１１を介して取得した画情報をネットワークを介して相手先に送信する際に、画情報をネットワークを介してサーバに送信して保存し、サーバの画像とリンクさせる画像リンク情報を付加したＷｅｂページを作成するとともに、当該画像のサムネールを作成してＷｅｂページに貼り付けてサーバに送信して保存し、サーバのＷｅｂページにリンクさせるファイルリンク情報を付加した電子メールを作成して相手先に送信する。【選択図】          図１
2006173818.tif 000002
【特許請求の範囲】
【請求項１】
少なくとも記憶媒体から直接または通信手段を介して画像を取得し、サーバの接続されたネットワークに接続され、前記取得した画像を添付したＨＴＭＬ形式のファイルを作成して、当該ＨＴＭＬ形式ファイル及び電子メール等を前記ネットワークを介して送信するネットワークファクシミリ装置であって、前記取得した画像を前記サーバに送信して保存し、当該サーバに保存した画像とリンクさせる画像リンク情報を付加したＨＴＭＬ形式のファイルを作成するとともに、当該画像のサムネールを作成して、当該サムネールを前記ＨＴＭＬ形式ファイルに貼り付け、当該サムネールを貼り付けたＨＴＭＬ形式ファイルを前記サーバに送信して保存し、当該サーバに保存したＨＴＭＬ形式ファイルにリンクさせるファイルリンク情報を付加したＨＴＭＬ形式の電子メールを作成して、当該電子メールを相手先に送信することを特徴とするネットワークファクシミリ装置。
【請求項２】
ネットワークに接続され、少なくとも記憶媒体から直接または通信手段を介して画像を取得して、当該取得した画像を添付したＨＴＭＬ形式のファイルを作成し、当該ＨＴＭＬ形式ファイル及び電子メール等を前記ネットワークを介して送信するネットワークファクシミリ装置であって、前記取得した画像を前記ネットワークに接続され画像蓄積手段を備えた他のネットワークファクシミリ装置に送信して当該画像蓄積手段に保存し、当該画像蓄積手段に保存した画像とリンクさせる画像リンク情報を付加したＨＴＭＬ形式のファイルを作成するとともに、当該画像のサムネールを作成して、当該サムネールを前記ＨＴＭＬ形式ファイルに貼り付け、当該サムネールを貼り付けたＨＴＭＬ形式ファイルを前記他のネットワークファクシミリ装置に送信して前記画像蓄積手段に保存し、当該画像蓄積手段に保存したＨＴＭＬ形式ファイルにリンクさせるファイルリンク情報を付加したＨＴＭＬ形式の電子メールを作成して、当該電子メールを相手先に送信することを特徴とするネットワークファクシミリ装置。
【請求項３】
ネットワークにサーバと複数のネットワークファクシミリ装置等のネットワーク端末が接続され、当該ネットワークファクシミリ装置が、少なくとも記憶媒体から直接または通信手段を介して画像を取得し、当該取得した画像を添付したＨＴＭＬ形式のファイルを作成して、当該ネットワークを介して前記ＨＴＭＬ形式ファイル及び電子メール等を送信するネットワークファクシミリシステムであって、前記ネットワークファクシミリ装置が、前記取得した画像を前記サーバに送信して保存し、当該サーバに保存した画像とリンクさせる画像リンク情報を付加したＨＴＭＬ形式のファイルを作成するとともに、当該画像のサムネールを作成して、当該サムネールを前記ＨＴＭＬ形式ファイルに貼り付け、当該サムネールを貼り付けたＨＴＭＬ形式ファイルを前記サーバに送信して保存し、当該サーバに保存したＨＴＭＬ形式ファイルにリンクさせるファイルリンク情報を付加したＨＴＭＬ形式の電子メールを作成して、当該電子メールを相手先に送信することを特徴とするネットワークファクシミリシステム。
【請求項４】
ネットワークファクシミリ装置と少なくとも画像蓄積手段を備えた他のネットワークファクシミリ装置等のネットワーク端末が接続され、当該ネットワークファクシミリ装置が、少なくとも記憶媒体から直接または通信手段を介して画像を取得し、当該取得した画像を添付したＨＴＭＬ形式のファイルを作成して、当該ＨＴＭＬ形式ファイル及び電子メール等を前記ネットワークを介して送信するネットワークファクシミリシステムであって、前記ネットワークファクシミリ装置が、前記取得した画像を前記他のネットワークファクシミリ装置に送信して当該他のネットワークファクシミリ装置の画像蓄積手段に保存し、当該画像蓄積手段に保存した画像とリンクさせる画像リンク情報を付加したＨＴＭＬ形式のファイルを作成するとともに、当該画像のサムネールを作成して、当該サムネールを前記ＨＴＭＬ形式ファイルに貼り付け、当該サムネールを貼り付けたＨＴＭＬ形式ファイルを前記他のネットワークファクシミリ装置に送信して前記画像蓄積手段に保存し、当該画像蓄積手段に保存したＨＴＭＬ形式ファイルにリンクさせるファイルリンク情報を付加したＨＴＭＬ形式の電子メールを作成して、当該電子メールを相手先に送信することを特徴とするネットワークファクシミリシステム。
【発明の詳細な説明】
【技術分野】
【０００１】
本発明は、ネットワークファクシミリ装置及びネットワークファクシミリシステムに関し、詳細には、画像をサーバに保存し、当該画像を適切かつ容易に閲覧することのできるネットワークファクシミリ装置及びネットワークファクシミリシステムに関する。
【背景技術】
【０００２】
従来、ファクシミリ装置は、それ自体単独で動作するいわゆるスタンドアロンで使用されており、従来のファクシミリ通信手順（伝送手順）は、ＩＴＵ（International Telecommunication Union：国際電気通信連合）−Ｔ勧告Ｔ．３０に従って実行される。
【０００３】
ところが、近年、ファクシミリ装置は、ＬＡＮ  Ｉ／Ｆが装備されるようになり、ファクシミリ装置においてもインターネットを使用して、電子メールの添付ファイルとして電子メールフォーマットに変換したファクシミリ文書をファクシミリ通信するネットワークファクシミリ装置が提案されている（特許文献１参照）。
【０００４】
そして、従来のネットワークファクシミリ装置は、ＬＡＮ（Local Area Network）等のネットワークに接続されて、当該ネットワークを利用して簡易的にネットワークスキャナとして使用する目的で、利用される場合がある。
【０００５】
このような場合、その際アタッチされるファイル形式は、ＰＤＦ、ＴＩＦＦ、ＪＰＧ等が一般的である。
【０００６】
【特許文献１】特開平１０−６５８５３号公報
【発明の開示】
【発明が解決しようとする課題】
【０００７】
しかしながら、このような従来のネットワークファクシミリ装置にあっては、画像を送信する場合、電子メールの添付ファイルとして送信され、そのファイル形式は、ＰＤＦ、ＴＩＦＦ、ＪＰＧ等が一般的であり、ネットワークファクシミリ装置をスキャナとして使用する目的で、自己宛にネットワークファクシミリ装置で読み取った画像を送信する場合には、ユーザの使い勝手に応じたファイル形式で送信すればよいが、不特定多数の相手先に画像を送信する場合には、これらのファイル形式は、使い勝手が良いものではなく、例えば、画像の識別性が悪く電子メールを見ただけでは、添付ファイルを示すアイコンが見えるだけであり、メールサイズも大きい等の欠点があった。
【０００８】
そこで、本発明は、メモリカード等から直接または通信手段を介して画像を取得し、当該取得した画像を、送信時間を短縮しつつ、受信側がサムネールで確認できるとともに、サムネールに基づいて画像を容易に閲覧したり、取得して利用性の良好なネットワークファクシミリ装置及びネットワークファクシミリシステムを提供することを目的としている。
【課題を解決するための手段】
【０００９】
請求項１記載の発明のネットワークファクシミリ装置は、少なくとも記憶媒体から直接または通信手段を介して画像を取得し、サーバの接続されたネットワークに接続され、前記取得した画像を添付したＨＴＭＬ形式のファイルを作成して、当該ＨＴＭＬ形式ファイル及び電子メール等を前記ネットワークを介して送信するネットワークファクシミリ装置であって、前記取得した画像を前記サーバに送信して保存し、当該サーバに保存した画像とリンクさせる画像リンク情報を付加したＨＴＭＬ形式のファイルを作成するとともに、当該画像のサムネールを作成して、当該サムネールを前記ＨＴＭＬ形式ファイルに貼り付け、当該サムネールを貼り付けたＨＴＭＬ形式ファイルを前記サーバに送信して保存し、当該サーバに保存したＨＴＭＬ形式ファイルにリンクさせるファイルリンク情報を付加したＨＴＭＬ形式の電子メールを作成して、当該電子メールを相手先に送信することにより、上記目的を達成している。
【００１０】
請求項２記載の発明のネットワークファクシミリ装置は、ネットワークに接続され、少なくとも記憶媒体から直接または通信手段を介して画像を取得して、当該取得した画像を添付したＨＴＭＬ形式のファイルを作成し、当該ＨＴＭＬ形式ファイル及び電子メール等を前記ネットワークを介して送信するネットワークファクシミリ装置であって、前記取得した画像を前記ネットワークに接続され画像蓄積手段を備えた他のネットワークファクシミリ装置に送信して当該画像蓄積手段に保存し、当該画像蓄積手段に保存した画像とリンクさせる画像リンク情報を付加したＨＴＭＬ形式のファイルを作成するとともに、当該画像のサムネールを作成して、当該サムネールを前記ＨＴＭＬ形式ファイルに貼り付け、当該サムネールを貼り付けたＨＴＭＬ形式ファイルを前記他のネットワークファクシミリ装置に送信して前記画像蓄積手段に保存し、当該画像蓄積手段に保存したＨＴＭＬ形式ファイルにリンクさせるファイルリンク情報を付加したＨＴＭＬ形式の電子メールを作成して、当該電子メールを相手先に送信することにより、上記目的を達成している。
【００１１】
請求項３記載の発明のネットワークファクシミリシステムは、ネットワークにサーバと複数のネットワークファクシミリ装置等のネットワーク端末が接続され、当該ネットワークファクシミリ装置が、少なくとも記憶媒体から直接または通信手段を介して画像を取得し、当該取得した画像を添付したＨＴＭＬ形式のファイルを作成して、当該ネットワークを介して前記ＨＴＭＬ形式ファイル及び電子メール等を送信するネットワークファクシミリシステムであって、前記ネットワークファクシミリ装置が、前記取得した画像を前記サーバに送信して保存し、当該サーバに保存した画像とリンクさせる画像リンク情報を付加したＨＴＭＬ形式のファイルを作成するとともに、当該画像のサムネールを作成して、当該サムネールを前記ＨＴＭＬ形式ファイルに貼り付け、当該サムネールを貼り付けたＨＴＭＬ形式ファイルを前記サーバに送信して保存し、当該サーバに保存したＨＴＭＬ形式ファイルにリンクさせるファイルリンク情報を付加したＨＴＭＬ形式の電子メールを作成して、当該電子メールを相手先に送信することにより、上記目的を達成している。
【００１２】
請求項４記載の発明のネットワークファクシミリシステムは、ネットワークファクシミリ装置と少なくとも画像蓄積手段を備えた他のネットワークファクシミリ装置等のネットワーク端末が接続され、当該ネットワークファクシミリ装置が、少なくとも記憶媒体から直接または通信手段を介して画像を取得し、当該取得した画像を添付したＨＴＭＬ形式のファイルを作成して、当該ＨＴＭＬ形式ファイル及び電子メール等を前記ネットワークを介して送信するネットワークファクシミリシステムであって、前記ネットワークファクシミリ装置が、前記取得した画像を前記他のネットワークファクシミリ装置に送信して当該他のネットワークファクシミリ装置の画像蓄積手段に保存し、当該画像蓄積手段に保存した画像とリンクさせる画像リンク情報を付加したＨＴＭＬ形式のファイルを作成するとともに、当該画像のサムネールを作成して、当該サムネールを前記ＨＴＭＬ形式ファイルに貼り付け、当該サムネールを貼り付けたＨＴＭＬ形式ファイルを前記他のネットワークファクシミリ装置に送信して前記画像蓄積手段に保存し、当該画像蓄積手段に保存したＨＴＭＬ形式ファイルにリンクさせるファイルリンク情報を付加したＨＴＭＬ形式の電子メールを作成して、当該電子メールを相手先に送信することにより、上記目的を達成している。
【発明の効果】
【００１３】
本発明のネットワークファクシミリ装置及びネットワークファクシミリシステムによれば、少なくとも記憶媒体から直接または通信手段を介して取得した画像をネットワークを介して相手先に送信する際に、まず、当該画像をネットワークを介してサーバまたは他のネットワークファクシミリ装置の画像蓄積手段に送信して保存し、当該サーバまたは他のネットワークファクシミリ装置の画像蓄積手段の画像とリンクさせる画像リンク情報を付加したＨＴＭＬ形式のファイルを作成するとともに、当該画像のサムネールを作成して、当該サムネールをＨＴＭＬ形式ファイルに貼り付けてサーバまたはネットワークファクシミリ装置の画像蓄積手段に送信して保存し、当該サーバまたはネットワークファクシミリ装置の画像蓄積手段のＨＴＭＬ形式ファイルにリンクさせるファイルリンク情報を付加したＨＴＭＬ形式の電子メールを作成して、当該電子メールを相手先に送信しているので、送信時間を短縮しつつ、電子メールを受信した相手先が、電子メールのファイルリンク情報でリンクされているＨＴＭＬ形式ファイルを開いて、当該ＨＴＭＬ形式ファイルのサムネイルで画像の内容を知ることができるとともに、サムネールに基づいて画像を容易に閲覧したりして取得でき、利用性を向上させることができる。
【発明を実施するための最良の形態】
【００１４】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００１５】
図１及び図２は、本発明のネットワークファクシミリ装置及びネットワークファクシミリシステムの一実施例を示す図であり、図１は、本発明のネットワークファクシミリ装置及びネットワークファクシミリシステムの一実施例を適用したネットワークファクシミリ装置１のブロック構成図である。
【００１６】
図１において、ネットワークファクシミリ装置１は、操作表示部２、読取部３、書込部４、バッファ５、圧縮復号部６、中央制御部７、画情報蓄積部８、通信制御部９、ＬＡＮポート１０及び通信ポート１１等を備えており、上記各部は、バス１２、１３により接続されている。
【００１７】
操作表示部２は、テンキーやスタートキー等の操作キー及び各種ファンクションキー等を備えるとともに、ディスプレイ、例えば、液晶ディスプレイ等を備えている。操作表示部２の操作キーからは、送信操作、電子メール（Ｅ−ｍａｉｌ）宛先、サムネール（Thumbnail：縮小画像）サイズ、リンク情報等の各種命令指示が入力され、ディスプレイには、操作キーから入力された命令内容や操作内容及びネットワークファクシミリ装置１からオペレータに通知する各種情報、特に、サムネールを表示する。
【００１８】
読取部３は、例えば、ＣＣＤ(Charge Coupled Device）を利用したラインイメージセンサ等が用いられており、一般にＡＤＦを備えている。ＡＤＦには、複数枚の原稿がセットされ、ＡＤＦは、セットされた原稿を１枚ずつ読取部３の原稿読取位置に送給する。読取部３は、ＡＤＦから搬送されてきた原稿を走査し、原稿の画像を所定の解像度で読み取る。
【００１９】
書込部４は、例えば、電子写真式記録装置、あるいは、インク噴射式記録装置等が用いられており、一般的に、１種類あるいは複数種類の所定の記録紙サイズのカット記録紙をセット可能な記録紙カセットを備えている。書込部４は、記録紙カセットから供給される記録紙に、受信画像、読取部３で読み取られた原稿の画像等を記録出力するとともに、必要なレポートを記録紙に記録出力する。
【００２０】
バッファ５は、中央制御部７を除く周辺部（ペリフェラル）間で画情報をやり取りする場合の中間バッファである。
【００２１】
圧縮復号部６は、画像を電子メールに添付する際に、所定の符号化方式、例えば、ＪＰＥＧ、ＴＩＦＦ等で符号化し、また、符号化されている画像を復号化（伸長）する。
【００２２】
中央制御部７は、ＣＰＵ（Central Processing Unit ）及びシステムメモリ等を備え、ＣＰＵがシステムメモリ内のプログラムに基づいてネットワークファクシミリ装置１の各部を制御して、ネットワークファクシミリ装置１としての処理を行うとともに、後述する画像送信制御処理を行う。例えば、中央制御部７は、操作表示部２で入力された操作情報等の判断を行い、ディスプレイ表示（ガイダンス、アドレス表示）等の表示情報の指示を行う。また、中央制御部７は、Ｅ−ｍａｉｌアドレス、宛先名称、ワンタッチダイアル等をシステムメモリに登録する。
【００２３】
画情報蓄積部８は、画情報をファイルとして蓄積するメモリ部であり、圧縮復号部６で符号化された複数の受信画情報や送信画情報等をファイルとして蓄積する。
【００２４】
通信制御部９は、ファクシミリ通信制御を行うＣＣＵ（コミュニケーションコントロールユニットである。
【００２５】
ＬＡＮポート１０には、図示しないＬＡＮ（Local Area Network）等のネットワークに接続され、ネットワークには、サーバが接続されている。ＬＡＮポート１０は、通信制御部９から制御を受けて、ネットワークのサーバとの直接のポートとなって、通信を行う。このネットワークに接続されているサーバは、ネットワークファクシミリ装置１からの画情報をファイルとして蓄積する。
【００２６】
通信ポート１１は、ＵＳＢ、ＬＡＮ、メモリカードスロット等のＩ／Ｆであり、通信制御部９からの制御を受けて、ＵＳＢ接続、ＬＡＮ接続またはスロットに挿入されたメモリカード等の記憶媒体から画情報（イメージデータ）を直接受け取る。この通信ポート１１のスロットに挿入される記憶媒体やＵＳＢ接続される記憶メディア（記憶媒体）としては、例えば、スマートメディア、 コンパクトフラッシュ（ＣＦ：登録商標）、マルチメディアカード（ＭＭＣ）、ＳＤカード（Secure Digital：ＳＤ）、メモリスティック（Memory Stick：ＭＳ）等のスロットに直接挿入される記憶メディアやＤＶＤ（Digital Video Disk）、ＣＤ−Ｒ（Compact Disc Recordable ）、ＣＤ−ＲＷ（Compact Disc Rewritable ）等のＵＳＢ接続される各種記憶メディアがあり、また、ＵＳＢ接続されるのは、記憶メディア単体に限るものではなく、例えば、記憶媒体を備えたデジタルスチルカメラ、パーソナルコンピュータ等であっても良い。また、この通信ポート１１に接続されるＬＡＮにサーバが接続されていてもよい。
【００２７】
次に、本実施の形態の作用を説明する。本実施の形態のネットワークファクシミリ装置１は、取得した画情報をサーバにストアして、ＨＴＭＬ形式でＷｅｂページ（ファイル）を作成し、当該読み取った画像の所定サイズのサムネールを作成して貼り付けるとともにサーバ上の画情報とをリンクさせる画像リンク情報を記述して、サーバに送信して保存し、このＷｅｂページとリンクさせるファイルリンク情報を記述した電子メールを作成して送信相手先に送信する。そして、ネットワークファクシミリ装置１は、画情報を、読取部３で原稿を読み取って取得したり、ＬＡＮポート１０でネットワークを介して受信することで取得するだけでなく、通信ポート１１でスロットに挿入されたメモリカード等の記憶媒体、ＵＳＢ接続されたメモリ装置やデジタルスチルカメラ等の画像処理装置、ネットワーク接続されたパーソナルコンピュータ等から直接画情報を取得する。
【００２８】
以下、この通信ポート１０から画情報を取得して送信する場合の画像送信制御処理について、図２に基づいて説明する。
【００２９】
ネットワークファクシミリ装置１は、図２に示すように、通信ポート１１から画情報を取得する（ステップＳ１０１）。すなわち、ネットワークファクシミリ装置１は、通信ポート１１のスロットに挿入されたメモリカード等の記憶メディア、通信ポート１１にＵＳＢ接続されたメモリ装置やデジタルスチルカメラ等の画像処理装置、通信ポート１１にＬＡＮ接続されたパーソナルコンピュータ等から直接画情報を取得する。
【００３０】
ネットワークファクシミリ装置１は、通信ポート１１から取得した画情報を、バッファ５を利用して、圧縮復号部６で任意の圧縮形式で圧縮させ、圧縮後の画情報を画情報蓄積部８に蓄積し、また、取得した画情報が既に圧縮されていて圧縮形式を変更する必要がないときには、当該取得した画情報をテンポラリーとして画情報蓄積部８に蓄積する。
【００３１】
ネットワークファクシミリ装置１は、取得した画情報をＬＡＮポート１０または通信ポート１１からネットワークを介してネットワークのサーバにストア（蓄積）する（ステップＳ１０２）。この場合、画情報を蓄積する場所としては、ネットワーク上のサーバに限るものではなく、例えば、ネットワーク上に他の大容量の画像記憶部（画像蓄積手段）、例えば、ハードディスク等を備えた他のネットワークファクシミリ装置が接続されている場合には、当該他のネットワークファクシミリ装置の画像記憶部を画情報の蓄積対象としても良い。また、この画情報の蓄積においては、中央制御部７が、当該画情報のファイル名として毎回独特（ユニーク）なファイル名を付与してストアし、また、この画情報をストアする際のディレクトリを、予めインターネットファクシミリ装置１の初期設定時に設定されたディレクトリまたは適宜変更設定されたディレクトリとする。
【００３２】
そして、ネットワークファクシミリ装置１は、操作表示部２のキー操作で指示されたサムネールサイズ（大きさ）または予め設定されている大きさに合わせて、間引き等の縮小処理を行って、当該大きさのサムネールファイルを作成する（ステップＳ１０３）。なお、この画像縮小処理方法は、何ら限定されるものではなく、中央制御部７のＣＰＵが画像縮小処理を行ってもよいし、圧縮復号部６で画像縮小処理を行ってもよい。
【００３３】
次に、中央制御部７は、ＨＴＭＬ（Hyper Text Markup Language）形式で記述したＷｅｂ（ウェブ）ページ（ファイル）を作成し、作成したサムネールをＨＴＭＬ形式ファイルであるＷｅｂページに貼り付ける。このとき、中央制御部７は、作成されたサムネールサイズに従ってＨＴＭＬページを構成する。中央制御部７は、このＷｅｂページに、ステップＳ１０２でストアしたサーバ上の画像とＷｅｂページとをリンクさせる画像リンク情報として、当該サーバのネットワーク上のアドレス（ネットワークアドレス）とファイル名を記述する。そして、サーバの代わりにネットワーク上の他のネットワークファクシミリ装置を利用する場合には、当該ネットワークファクシミリ装置のネットワーク上のアドレス（ネットワークアドレス）とファイル名を、当該他のネットワークファクシミリ装置の画像記憶部上の画像とＷｅｂページとをリンクさせる画像リンク情報として記述する（ステップＳ１０４）。
【００３４】
中央制御部７は、作成したＷｅｂページをＬＡＮポート１０または通信ポート１１を利用してネットワーク上のサーバまたは他のネットワークファクシミリ装置上にストア（登録）する（ステップＳ１０５）。このとき、サーバまたは他のネットワークファクシミリ装置にストアする際のディレクトリは、上記画情報の場合と同様に、予め初期設定時に指示されたディレクトリまたは適宜変更設定されたディレクトリとする。
【００３５】
中央制御部７は、サーバまたは他のネットワークファクシミリ装置に登録したＷｅｂページのアドレス（リンク先）をファイルリンク情報として記述したＨＴＭＬ形式の電子メールを作成し（ステップＳ１０６）、ＨＴＭＬ形式の電子メールを作成すると、当該電子メールを相手先に送信して、処理を終了する（ステップＳ１０７）。
【００３６】
したがって、当該ＨＴＭＬ形式の電子メールを受信した相手先は、当該電子メールにリンクされているサーバまたは他のネットワークファクシミリ装置のＷｅｂページを開いて当該Ｗｅｂページのサムネール画像により、入手可能な画像の内容を知ることができるとともに、当該サムネールをクリック等することで、大きな元画像を容易に閲覧したり、入手することができ、また、サムネールファイルであるため、ファイルサイズが小さく、ネットワーク上のサーバまたは他のネットワークファクシミリ装置への送信時間等を短くすることができる。
【００３７】
このように、本実施例のネットワークファクシミリ装置１は、少なくともＵＳＢ接続、ＬＡＮ接続またはスロットに挿入されたメモリカード等の記憶媒体から通信ポート１１を介して取得した画情報をネットワークを介して相手先に送信する際に、まず、当該画情報をネットワークを介してサーバに送信して保存し、当該サーバの画像とリンクさせる画像リンク情報を付加したＨＴＭＬ形式のＷｅｂページ（ファイル）を作成するとともに、当該画像のサムネールを作成して、当該サムネールをＷｅｂページに貼り付けてサーバに送信して保存し、当該サーバのＷｅｂページにリンクさせるファイルリンク情報を付加したＨＴＭＬ形式の電子メールを作成して、当該電子メールを相手先に送信している。
【００３８】
したがって、送信時間を短縮しつつ、電子メールを受信した相手先が、電子メールのファイルリンク情報でリンクされているＷｅｂページを開いて、当該Ｗｅｂページのサムネイルで画像の内容を知ることができるとともに、サムネールに基づいて画像を容易に閲覧したりして取得でき、利用性を向上させることができる。
【００３９】
また、本実施例のネットワークファクシミリ装置１は、ネットワーク上の他のネットワークファクシミリ装置をサーバの代わりに利用して、当該他のネットワークファクシミリ装置の画像記憶部に画情報とＷｅｂページをリンクさせて保存し、当該ＷｅｂページとリンクさせたＨＴＭＬ形式の電子メールを作成して、相手先に送信している。
【００４０】
したがって、画情報やＷｅｂページの蓄積されているネットワークファクシミリ装置が移動されても、システム構築を容易に行うことができ、安価に利用性をより一層向上させることができる。
【００４１】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００４２】
ネットワークを利用して画情報をやりとりするネットワークファクシミリ装置及びネットワークファクシミリシステム一般に適用することができる。
【図面の簡単な説明】
【００４３】
【図１】本発明のネットワークファクシミリ装置及びネットワークファクシミリシステムの一実施の形態を適用したネットワークファクシミリ装置のブロック構成図。
【図２】図１のネットワークファクシミリ装置による画像送信制御処理を示すフローチャート。
【符号の説明】
【００４４】
１  ネットワークファクシミリ装置
２  操作表示部
３  読取部
４  書込部
５  バッファ
６  圧縮復号部
７  中央制御部
８  画情報蓄積部
９  通信制御部
１０  ＬＡＮポート
１１  通信ポート
１２、１３  バス
【図１】
2006173818.tif 000003
【図２】
2006173818.tif 000004